(57)【特許請求の範囲】
【請求項１】
扉に取り付けられる錠ケースと、前記錠ケースに装着されるシリンダー錠と、前記錠ケース内に配置されて前記シリンダー錠に作動連結されるデッドボルトとを備え、前記シリンダー錠をキーにより施錠方向に操作することにより、前記シリンダー錠に連動して前記デッドボルトが前記錠ケースの錠面から外側に突出して扉枠側の受け部に係合され、前記シリンダー錠をキーにより解錠方向に操作することにより、前記デッドボルトが前記錠ケースの錠面から内側に引き込まれて、扉枠側の受け部から離脱される形式のデッドボルト錠において、
前記シリンダー錠に設けられ、前記キーの操作により、前記錠ケース内で前記シリンダー錠の軸芯回りの所定の角度範囲に設定された所定の回動始端位置と所定の回動終端位置との間で回動可能なレバーと、
前記デッドボルトの先端側に前記デッドボルトの一方又は両方の側面を開口して形成されたロック爪収容部に配設され、前記デッドボルトの可動方向に対して略直角方向に向けて出没可能なロック爪と、
前記デッドボルトに設けられ、前記デッドボルトが前記錠ケースの錠面から内側の所定のデッドボルト引き込み位置に引き込まれた状態で、前記シリンダー錠の施錠操作により前記レバーの前記回動始端位置から前記回動終端位置に向かう途中の所定の回動位置で前記レバーに係合し、前記レバーにより前記回動終端位置に達する前の所定の位置まで押圧されて、前記デッドボルトを前記錠ケースの錠面から外側の所定のデッドボルト突出位置まで突出させる押し出し係合部、及び前記デッドボルトが前記デッドボルト突出位置に突出された状態で、前記シリンダー錠の解錠操作により前記レバーの前記回動終端位置から前記回動始端位置に向かう途中の所定の回動位置で前記レバーに係合し、前記レバーにより前記回動終端位置に達するまで押圧されて、前記デッドボルトを前記デッドボルト引き込み位置まで引き込む引き入れ係合部と、
前記錠ケース内に、前記デッドボルトと並列に配置されて、前記錠ケースの錠面から前記デッドボルトに従動して突出又は引き込み可能にかつ前記デッドボルト突出位置に突出された状態のデッドボルトに対してさらに前記デッドボルトの突出方向に又はその反対方向に所定の距離だけスライド可能に組み込まれ、前記デッドボルトに対向する面にラックを有するラックプレートと、前記ラックプレートに設けられ、前記ラックプレートが前記デッドボルトとともに前記錠ケース内に引き込まれた状態で、前記シリンダー錠の施錠操作により前記レバーの前記回動始端位置から前記回動終端位置に向かう途中の所定の回動位置で前記デッドボルトの押し出し係合部とともに前記レバーに係合し、前記レバーにより前記回動終端位置まで押圧されて、前記ラックプレートを前記デッドボルトに従動させて前記錠ケースの錠面から外側の所定の位置まで突出させ、さらに、前記デッドボルト突出位置まで突出された状態のデッドボルトに対して前記ラックプレートのみをさらに前記デッドボルトの突出方向に所定の距離だけ送り出す送り出し係合部、及び前記ラックプレートが前記デッドボルト突出位置に突出されたデッドボルトに対して前記所定の距離だけ送り出された状態で、前記シリンダー錠の解錠操作により前記レバーの前記回動終端位置から前記回動始端位置に向かう途中の所定の回動位置で前記レバーに係合し、前記ラックプレートのみを前記所定の距離だけ送り戻し、前記ラックプレートの前記所定の距離の送り戻しにより前記デッドボルトの引き入れ係合部に係合されて、引き続き、前記ラックプレートを前記回動終端位置まで押圧し、前記ラックプレートを前記デッドボルトに従動させて前記錠ケース内に送り入れる従動係合部と、前記デッドボルトの先端側の内部に前記ロック爪に近接して回転可能に軸支され、前記ラックプレートのラックに噛合されるピニオンギヤと、前記ロック爪の一部に設けられ、前記ピニオンギヤに噛合されるラックとを有し、前記ロック爪と前記シリンダー錠とを作動連結し、前記シリンダー錠に連動して前記ロック爪を可動する動力伝達機構と、
を備え、
前記シリンダー錠の施錠操作により、前記デッドボルトを前記受け部に係合させ、前記受け部に係合された前記デッドボルトから前記ロック爪を突出し、前記デッドボルトを鉤形にして、前記受け部に係合させ、
前記シリンダー錠の解錠操作により、前記ロック爪を前記デッドボルトに没入して、前記デッドボルトを前記受け部から離脱させる、
ことを特徴とするデッドボルト錠。
【請求項２】
扉に取り付けられる錠ケースと、前記錠ケースに装着されるシリンダー錠と、前記錠ケース内に配置されて前記シリンダー錠に作動連結されるデッドボルトとを備え、前記シリンダー錠をキーにより施錠方向に操作することにより、前記シリンダー錠に連動して前記デッドボルトが前記錠ケースの錠面から外側に突出して扉枠側の受け部に係合され、前記シリンダー錠をキーにより解錠方向に操作することにより、前記デッドボルトが前記錠ケースの錠面から内側に引き込まれて、扉枠側の受け部から離脱される形式のデッドボルト錠において、
前記シリンダー錠に設けられ、前記キーの操作により、前記錠ケース内で前記シリンダー錠の軸芯回りの所定の角度範囲に設定された所定の回動始端位置と所定の回動終端位置との間で回動可能なレバーと、
前記デッドボルトの先端側に前記デッドボルトの一方又は両方の側面を開口して形成されたロック爪収容部に配設され、前記デッドボルトの可動方向に対して略直角方向に向けて出没可能なロック爪と、
前記デッドボルトに設けられ、前記デッドボルトが前記錠ケースの錠面から内側の所定のデッドボルト引き込み位置に引き込まれた状態で、前記シリンダー錠の施錠操作により前記レバーの前記回動始端位置から前記回動終端位置に向かう途中の所定の回動位置で前記レバーに係合し、前記レバーにより前記回動終端位置まで押圧されて、前記デッドボルトを前記錠ケースの錠面から外側の所定のデッドボルト突出位置まで突出させる押し出し係合部、及び前記デッドボルトが前記デッドボルト突出位置に突出された状態で、前記シリンダー錠の解錠操作により前記レバーの前記回動終端位置から前記回動始端位置に向かう途中の所定の回動位置で前記レバーに係合し、前記レバーにより前記回動終端位置に達するまで押圧されて、前記デッドボルトを前記デッドボルト引き込み位置まで引き込む引き入れ係合部と、
前記錠ケース内に、前記デッドボルトと並列に配置されて、前記錠ケースの錠面から前記デッドボルトに従動して突出又は引き込み可能にかつ前記デッドボルト突出位置に突出された状態の前記デッドボルトに対して前記デッドボルトの突出方向に又はその反対方向に所定の距離だけスライド可能に組み込まれ、前記デッドボルトに対向する面にラックを有するラックプレートと、前記ラックプレートに設けられ、前記デッドボルトの引き入れ係合部と前記シリンダー錠のレバーとの間に配置されて、前記引き入れ係合部又は前記レバーとの係合により、前記ラックプレートを前記デッドボルトに従動させる従動係合部、及び前記デッドボルトの引き入れ係合部と前記ラックプレートの従動係合部との間に介装され、前記ラックプレートの従動係合部を前記レバー側に向けて押圧付勢し、前記デッドボルト突出位置に突出された状態の前記デッドボルトに対して前記ラックプレートのみを前記デッドボルトの突出方向に所定の距離だけスライドさせるばね部材と、前記デッドボルトの先端側の内部に前記ロック爪に近接して回転可能に軸支され、前記ラックプレートのラックに噛合されるピニオンギヤと、前記ロック爪の一部に設けられ、前記ピニオンギヤに噛合されるラックとを有し、前記ロック爪と前記シリンダー錠とを作動連結し、前記シリンダー錠に連動して前記ロック爪を可動する動力伝達機構と、
を備え、
前記シリンダー錠の施錠操作により、前記デッドボルトを前記受け部に係合させ、前記受け部に係合された前記デッドボルトから前記ロック爪を突出し、前記デッドボルトを鉤形にして、前記受け部に係合させ、
前記シリンダー錠の解錠操作により、前記ロック爪を前記デッドボルトに没入して、前記デッドボルトを前記受け部から離脱させる、
ことを特徴とするデッドボルト錠。
【発明の詳細な説明】
【技術分野】
【０００１】
本発明は、キャビネットなどの扉の施錠に使用するデッドボルト錠に関する。
【背景技術】
【０００２】
従来から、キャビネットなどの扉の施錠にデッドボルト錠が使用されている。
この種のデッドボルト錠は、例えば特許文献１に記載されているように、扉に取り付けられる錠ケースと、錠ケースに連結されるシリンダー錠と、錠ケース内に配置されてシリンダー錠（の回転カム）に作動連結されるデッドボルトとを備え、シリンダー錠をキー操作により施錠方向に回転することにより、このシリンダー錠に連動してデッドボルトが錠ケースの錠面から外側に突出して、扉枠側の受け部に係合され、また、シリンダー錠をキー操作により解錠方向に回転することにより、デッドボルトが錠ケースの錠面から内側に引き込まれて、扉枠側の受け部から離脱されるようになっている。なお、この場合、キャビネットなどの扉枠の受け部には係合ピンなどの係合部材が設けられ、デッドボルトが受け部に突出されると、デッドボルトの一方の側面が係合部材に当接して受け部に係合するようになっている。
【先行技術文献】
【特許文献】
【０００３】
【特許文献１】実用新案登録第３１２５６０７号公報
【発明の概要】
【発明が解決しようとする課題】
【０００４】
しかしながら、この種のデッドボルト錠は、板金扉に取り付けて使用する場合、特に板金が薄いと、板金扉は比較的小さな力を加えるだけでも簡単に変形するため、板金扉を破壊的に強く引けば、板金扉は変形し、扉側のデッドボルトと扉枠側の受け部が完全に係合されている状態でも、板金扉の変形とともに、デッドボルトが受け部から外れて、扉が開いてしまう、という問題がある。
【０００５】
本発明は、このような従来の問題を解決するもので、この種のデッドボルト錠において、板金扉に取り付けて使用する場合に、板金扉を破壊的に強く引いて変形させても、デッドボルトを受け部から外れないようにして又は外れにくくして、扉が開くのを防止すること、を目的とする。
【課題を解決するための手段】
【０００６】
上記目的を達成するために、本発明（１）は、
扉に取り付けられる錠ケースと、前記錠ケースに装着されるシリンダー錠と、前記錠ケース内に配置されて前記シリンダー錠に作動連結されるデッドボルトとを備え、前記シリンダー錠をキーにより施錠方向に操作することにより、前記シリンダー錠に連動して前記デッドボルトが前記錠ケースの錠面から外側に突出して扉枠側の受け部に係合され、前記シリンダー錠をキーにより解錠方向に操作することにより、前記デッドボルトが前記錠ケースの錠面から内側に引き込まれて、扉枠側の受け部から離脱される形式のデッドボルト錠において、
前記シリンダー錠に設けられ、前記キーの操作により、前記錠ケース内で前記シリンダー錠の軸芯回りの所定の角度範囲に設定された所定の回動始端位置と所定の回動終端位置との間で回動可能なレバーと、
前記デッドボルトの先端側に前記デッドボルトの一方又は両方の側面を開口して形成されたロック爪収容部に配設され、前記デッドボルトの可動方向に対して略直角方向に向けて出没可能なロック爪と、
前記デッドボルトに設けられ、前記デッドボルトが前記錠ケースの錠面から内側の所定のデッドボルト引き込み位置に引き込まれた状態で、前記シリンダー錠の施錠操作により前記レバーの前記回動始端位置から前記回動終端位置に向かう途中の所定の回動位置で前記レバーに係合し、前記レバーにより前記回動終端位置に達する前の所定の位置まで押圧されて、前記デッドボルトを前記錠ケースの錠面から外側の所定のデッドボルト突出位置まで突出させる押し出し係合部、及び前記デッドボルトが前記デッドボルト突出位置に突出された状態で、前記シリンダー錠の解錠操作により前記レバーの前記回動終端位置から前記回動始端位置に向かう途中の所定の回動位置で前記レバーに係合し、前記レバーにより前記回動終端位置に達するまで押圧されて、前記デッドボルトを前記デッドボルト引き込み位置まで引き込む引き入れ係合部と、
前記錠ケース内に、前記デッドボルトと並列に配置されて、前記錠ケースの錠面から前記デッドボルトに従動して突出又は引き込み可能にかつ前記デッドボルト突出位置に突出された状態のデッドボルトに対してさらに前記デッドボルトの突出方向に又はその反対方向に所定の距離だけスライド可能に組み込まれ、前記デッドボルトに対向する面にラックを有するラックプレートと、前記ラックプレートに設けられ、前記ラックプレートが前記デッドボルトとともに前記錠ケース内に引き込まれた状態で、前記シリンダー錠の施錠操作により前記レバーの前記回動始端位置から前記回動終端位置に向かう途中の所定の回動位置で前記デッドボルトの押し出し係合部とともに前記レバーに係合し、前記レバーにより前記回動終端位置まで押圧されて、前記ラックプレートを前記デッドボルトに従動させて前記錠ケースの錠面から外側の所定の位置まで突出させ、さらに、前記デッドボルト突出位置まで突出された状態のデッドボルトに対して前記ラックプレートのみをさらに前記デッドボルトの突出方向に所定の距離だけ送り出す送り出し係合部、及び前記ラックプレートが前記デッドボルト突出位置に突出されたデッドボルトに対して前記所定の距離だけ送り出された状態で、前記シリンダー錠の解錠操作により前記レバーの前記回動終端位置から前記回動始端位置に向かう途中の所定の回動位置で前記レバーに係合し、前記ラックプレートのみを前記所定の距離だけ送り戻し、前記ラックプレートの前記所定の距離の送り戻しにより前記デッドボルトの引き入れ係合部に係合されて、引き続き、前記ラックプレートを前記回動終端位置まで押圧し、前記ラックプレートを前記デッドボルトに従動させて前記錠ケース内に送り入れる従動係合部と、前記デッドボルトの先端側の内部に前記ロック爪に近接して回転可能に軸支され、前記ラックプレートのラックに噛合されるピニオンギヤと、前記ロック爪の一部に設けられ、前記ピニオンギヤに噛合されるラックとを有し、前記ロック爪と前記シリンダー錠とを作動連結し、前記シリンダー錠に連動して前記ロック爪を可動する動力伝達機構と、
を備え、
前記シリンダー錠の施錠操作により、前記デッドボルトを前記受け部に係合させ、前記受け部に係合された前記デッドボルトから前記ロック爪を突出し、前記デッドボルトを鉤形にして、前記受け部に係合させ、
前記シリンダー錠の解錠操作により、前記ロック爪を前記デッドボルトに没入して、前記デッドボルトを前記受け部から離脱させる、
ことを要旨とする。
【０００７】
上記目的を達成するために、本発明（２）は、
扉に取り付けられる錠ケースと、前記錠ケースに装着されるシリンダー錠と、前記錠ケース内に配置されて前記シリンダー錠に作動連結されるデッドボルトとを備え、前記シリンダー錠をキーにより施錠方向に操作することにより、前記シリンダー錠に連動して前記デッドボルトが前記錠ケースの錠面から外側に突出して扉枠側の受け部に係合され、前記シリンダー錠をキーにより解錠方向に操作することにより、前記デッドボルトが前記錠ケースの錠面から内側に引き込まれて、扉枠側の受け部から離脱される形式のデッドボルト錠において、
前記シリンダー錠に設けられ、前記キーの操作により、前記錠ケース内で前記シリンダー錠の軸芯回りの所定の角度範囲に設定された所定の回動始端位置と所定の回動終端位置との間で回動可能なレバーと、
前記デッドボルトの先端側に前記デッドボルトの一方又は両方の側面を開口して形成されたロック爪収容部に配設され、前記デッドボルトの可動方向に対して略直角方向に向けて出没可能なロック爪と、
前記デッドボルトに設けられ、前記デッドボルトが前記錠ケースの錠面から内側の所定のデッドボルト引き込み位置に引き込まれた状態で、前記シリンダー錠の施錠操作により前記レバーの前記回動始端位置から前記回動終端位置に向かう途中の所定の回動位置で前記レバーに係合し、前記レバーにより前記回動終端位置まで押圧されて、前記デッドボルトを前記錠ケースの錠面から外側の所定のデッドボルト突出位置まで突出させる押し出し係合部、及び前記デッドボルトが前記デッドボルト突出位置に突出された状態で、前記シリンダー錠の解錠操作により前記レバーの前記回動終端位置から前記回動始端位置に向かう途中の所定の回動位置で前記レバーに係合し、前記レバーにより前記回動終端位置に達するまで押圧されて、前記デッドボルトを前記デッドボルト引き込み位置まで引き込む引き入れ係合部と、
前記錠ケース内に、前記デッドボルトと並列に配置されて、前記錠ケースの錠面から前記デッドボルトに従動して突出又は引き込み可能にかつ前記デッドボルト突出位置に突出された状態の前記デッドボルトに対して前記デッドボルトの突出方向に又はその反対方向に所定の距離だけスライド可能に組み込まれ、前記デッドボルトに対向する面にラックを有するラックプレートと、前記ラックプレートに設けられ、前記デッドボルトの引き入れ係合部と前記シリンダー錠のレバーとの間に配置されて、前記引き入れ係合部又は前記レバーとの係合により、前記ラックプレートを前記デッドボルトに従動させる従動係合部、及び前記デッドボルトの引き入れ係合部と前記ラックプレートの従動係合部との間に介装され、前記ラックプレートの従動係合部を前記レバー側に向けて押圧付勢し、前記デッドボルト突出位置に突出された状態の前記デッドボルトに対して前記ラックプレートのみを前記デッドボルトの突出方向に所定の距離だけスライドさせるばね部材と、前記デッドボルトの先端側の内部に前記ロック爪に近接して回転可能に軸支され、前記ラックプレートのラックに噛合されるピニオンギヤと、前記ロック爪の一部に設けられ、前記ピニオンギヤに噛合されるラックとを有し、前記ロック爪と前記シリンダー錠とを作動連結し、前記シリンダー錠に連動して前記ロック爪を可動する動力伝達機構と、
を備え、
前記シリンダー錠の施錠操作により、前記デッドボルトを前記受け部に係合させ、前記受け部に係合された前記デッドボルトから前記ロック爪を突出し、前記デッドボルトを鉤形にして、前記受け部に係合させ、
前記シリンダー錠の解錠操作により、前記ロック爪を前記デッドボルトに没入して、前記デッドボルトを前記受け部から離脱させる、
ことを要旨とする。
【発明の効果】
【０００９】
本発明のデッドボルト錠によれば、シリンダー錠の施錠操作により、デッドボルトを受け部に係合させ、この受け部に係合されたデッドボルトからロック爪を突出し、デッドボルトを鉤形にして、受け部に係合させるようにしたので、ロック爪を受け部の任意の位置で係合ピンなどの係合部材などに扉の引張方向に抗する方向に係止させることで、このデッドボルト錠を板金扉に取り付けて使用した場合に、板金扉を破壊的に強く引いて変形させても、デッドボルトを受け部から外れないようにして又は外れにくくして、扉が開くのを防止することができる。また、このデッドボルト錠は、シリンダー錠の解錠操作により、ロック爪をデッドボルトに没入して、デッドボルトを受け部から離脱させるので、デッドホルトをロック爪が受け部に干渉することなく、受け部から円滑に離脱させることができる。
【図面の簡単な説明】
【００１０】
【図１】本発明の第１の実施の形態におけるデッドボルト錠の一部断面上面図
【図２】同デッドボルト錠の正面図
【図３】同デッドボルト錠の要部を示す図（（ａ）はデッドボルト錠の要部破断正面図（ｂ）はデッドボルト錠の側面断面図）
【図４】同デッドボルト錠の動作を示す斜視図（デッドボルトが錠ケースに引き込まれた状態）
【図５】同デッドボルト錠の動作を示す斜視図（デッドボルトが錠ケースから突出される状態）
【図６】同デッドボルト錠の動作を示す斜視図（デッドボルトが錠ケースから所定の位置まで突出された状態）
【図７】同デッドボルト錠の動作を示す斜視図（デッドボルトが錠ケースから所定の位置まで突出された後、デッドボルトの先端部からロック爪が突出された状態）
【図８】同デッドボルト錠の特にシリンダー錠のレバー、動力伝達機構の各部、ロック爪の動作を示す図
【図９】本発明の第２の実施の形態におけるデッドボルト錠の一部断面正面図（（ａ）はデッドボルトが錠ケースから突出された状態（ｂ）デッドボルトが錠ケースに引き込まれた状態）
【図１０】同デッドボルト錠の特にシリンダー錠のレバー、動力伝達機構の各部、ロック爪の動作を示す図
【図１１】同デッドボルト錠の特にシリンダー錠のレバー、動力伝達機構の各部、ロック爪の動作を示す図
【図１２】本発明のデッドボルト錠の要部を意匠的に示す図（（ａ）は正面図（ｂ）は平面図（ｃ）は底面図）
【図１３】本発明のデッドボルト錠の要部を意匠的示す図（（ａ）は右側面図（ｂ）は左側面図（ｃ）は背面図）
【発明を実施するための形態】
【００１１】
次に、この発明を実施するための形態について図を用いて説明する。
図１乃至図８に第１の実施の形態を示している。なお、図１２、図１３にその要部を意匠的に示している。
図１及び図２に示すように、デッドボルト錠Ｕ１は、扉に取り付けられる錠ケース１と、錠ケース１に装着されるシリンダー錠２と、錠ケース１内に配置されてシリンダー錠２に作動連結されるデッドボルト３Ａとを備え、シリンダー錠２をキーにより施錠方向に操作することにより、シリンダー錠２に連動してデッドボルト３Ａが錠ケース１の錠面１０１から外側に突出して扉枠側の受け部に係合され、シリンダー錠をキーにより解錠方向に操作することにより、デッドボルト３Ａが錠ケース１の錠面１０１から内側に引き込まれて、扉枠側の受け部から離脱される形式を取る。
そして、このデッドボルト錠Ｕ１では、特に、デッドボルト３Ａに、このデッドボルト３Ａの可動方向に対して略直角方向に向けて出没可能に配設されるロック爪４と、ロック爪４とシリンダー錠２との間に作動連結され、シリンダー錠２に連動してロック爪４を可動する動力伝達機構５Ａとを備え、シリンダー錠２の施錠操作により、デッドボルト３を受け部に係合させ、この受け部に係合されたデッドボルト３からロック爪４を突出し、デッドボルト３Ａを鉤形にして、受け部に係合させ、また、シリンダー錠２の解錠操作により、ロック爪４をデッドボルト３Ａに没入して、デッドボルト３Ａを受け部から離脱させるようになっている。
【００１２】
図１及び図３に示すように、錠ケース１は、正面に開口を有する略ボックス形の本体ケース１０と、本体ケース１０の正面開口に取り付けられ、正面開口を塞ぐ蓋１１とにより構成される。この場合、本体ケース１０は、略矩形の箱形に形成され、背面と４側面とからなり、４側面のうちの１側面が錠面１０１でその中央にデッドボルト３Ａの出没口１００が形成される。また、この本体ケース１０は背面の四隅に取付ねじのためのねじ挿通部１０２が形成され、その一方の対角線上の各ねじ挿通部１０２の内側近傍にねじ座１０３が取り付けられる。蓋１１は、本体ケース１０の正面開口に対応する略矩形のプレートからなり、四隅は取付ねじが挿通可能に切り欠かれ、本体ケース１０の各ねじ座１０３に対応する位置にねじ挿通部１１３が形成される。このようにして錠ケース１は、本体ケース１０内にデッドボルト３Ａ及びシリンダー錠２の動力伝達機構５Ａを構成する各部材が組み込まれ、本体ケース１０の正面開口に蓋１１が取り付けられて組み立てられる。なお、蓋１１は、各ねじ挿通部１１３から通されたねじ１１４が本体ケース１０の各ねじ座１０３に締結されて、本体ケース１０に取り付けられる。
【００１３】
図１、図２及び図３に示すように、シリンダー錠２は、一般に知られているシリンダー錠で、ローター２１の正面から背面に向けて鍵孔２０が形成され、このローター２１の背面側の端部にはレバー（回転カム）２２がローター２１の径方向に突出して取り付けられる。このシリンダー錠２は錠ケース１の蓋１１の略中央に連結され、レバー２２が本体ケース１０内に回動可能に配置される。このようにしてシリンダー錠２の鍵孔２０にキー（図示省略）を差し込み、キーの回転操作により、錠ケース１内でレバー２２がシリンダー錠２の軸芯回りの所定の角度範囲に設定された所定の回動始端位置と所定の回動終端位置との間で回動可能に構成される。
【００１４】
図３に示すように、デッドボルト３Ａは略長方形（この場合、横方向に長い長方形）のプレートからなり、短手方向の一方の端部（この場合、左端部）が先端部で、その反対（この場合、右端部）が基端部になっている。
デッドボルト３Ａの先端部内部には、プレートの平面状の両側面先端の略中央を開口し、両側面間を貫通して、ロック爪４のためのロック爪収容部３０１が形成され、このロック爪収容部３０１にプレートの基端部方向に連続してピニオンギヤ５２のためのピニオンギヤ収容部３０２が貫通形成される。デッドボルト３Ａの先端部側は一定の範囲が基端部側の幅よりも少し小さく形成されて、その境界部分に段差部３０３が設けられる。
デッドボルト３Ａの一方の側縁部（この場合、上側縁部）には、その基端部側に切り欠き３０が略長方形に形成される。この切り欠き３０の一端（この場合、左端）は、一方の側縁部側がデッドボルト３Ａの基端部方向に略凸形形状に形成されて、凸形形状部３１と一方の側縁部に対して直角方向に延びる縁部３２とからなる。なお、この場合、凸形形状部３１は、突出先端部が略半円形で、突出先端部から外側に延びる縁部は一方の側縁部の一部になっていて、突出先端部から内側に延びる縁部は、一方の側縁部に対して所定角度の鋭角に斜めに延びる縁部と、この斜めの縁部から一方の側縁部と平行に延びる縁部とからなる。一方、この切り欠き３０の他端（この場合、右端）は、一方の側縁部に対して直角に延びる縁部３３になっている。
デッドボルト３Ａの一方の面（錠ケース１に組み立て時、蓋１１側になる面）は切り欠き３０とは反対の他方の側縁部側が凹状に形成される。デッドボルト３Ａの他方の面（錠ケース１に組み立て時、本体ケース１０側になる平面）には、その幅方向中央に先端部のロック爪収容部３０１から基端部方向に所定の範囲（概ね切り欠き３０の他端縁部３３当たり）まで後述するラックプレート５１のためのガイド溝３４が形成される。
デッドボルト３Ａはこのように形成され、先端部から段差部３０３までの先端部側の一定の範囲が錠ケース１の錠面１０１から突出又は引き込まれる部分となり、この部分を錠ケース１の錠面１０１の出没口１００に向け、凹状の部分を有する一方の面を蓋１１側に、ガイド溝３４を有する他方の面を本体ケース１０側にして、錠ケース１内に２つのねじ座１０３間に支持（挟持）されて配置され、このねじ座１０３及び錠面１０１の出没口１００をガイドにして、錠ケース１の錠面１０１から突出又は引き込み可能に組み込まれる。そして、この錠ケース１に連結されたシリンダー錠２のレバー２２がデッドボルト３Ａの一方の面の凹状に形成された部分に回動可能に配置されてデッドボルト３Ａに作動連結され、このシリンダー錠２との関係で、デッドボルト３Ａの凸形形状部３１は、デッドボルト３Ａが錠ケース１内に引き込まれた状態で、シリンダー錠２の施錠操作により錠ケース１内でレバー２２の回動始端位置から回動終端位置に向かう途中の所定の回動位置でレバー２２に係合され、このレバー２２により回動終端位置に達する前の所定の回動位置まで押圧されて、デッドボルト３Ａを錠ケース１の錠面１０１から外側の所定のデッドボルト突出位置まで突出させる押し出し係合部をなし（以下、凸形形状部３１を押し出し係合部３１という。）、デッドボルト３Ａの切り欠き３０の他端の縁部３３は、デッドボルト３Ａがデッドボルト突出位置に突出された状態で、シリンダー錠２の解錠操作により錠ケース１内でレバー２２の回動終端位置から回動始端位置に向かう途中の所定の回動位置でレバー２２に係合され、このレバー２２により回動終端位置に達するまで押圧されて、デッドボルト３Ａを錠ケース１の錠面１０１から内側の所定のデッドボルト引き込み位置まで引き込む引き入れ係合部をなす（以下、切り欠き３０の他端縁部３３を引き入れ係合部３３という。）。
【００１５】
図３に示すように、ロック爪４は、デッドボルト３Ａの先端側のロック爪収容部３０１に嵌合可能にかつロック爪収容部３０１から少し突出可能にロック爪収容部３０１の軸芯方向の寸法よりも長く形成されて、ロック爪収容部３０１に出没可能に配置される。このロック爪４にはデッドボルト３Ａの基端部方向に向けられる面に、ラック４１が形成される。
【００１６】
動力伝達機構５Ａは、錠ケース１内に、デッドボルト３Ａの下面に並列に配置されて、錠ケース１の錠面１０１からデッドボルト３Ａに従動して突出又は引き込み可能にかつデッドボルト突出位置に突出された状態のデッドボルト３Ａに対してさらにデッドボルトの突出方向に又はその反対方向に所定の距離だけスライド可能に組み込まれて、デッドボルト３Ａに対向する面にラック５１１を有するラックプレート５１と、デッドボルト３Ａの先端部側の内部にロック爪４に近接して回転可能に軸支され、ラックプレート５１のラック５１１に噛合されるピニオンギヤ５２と、ロック爪４の一部に設けられ、ピニオンギヤ５２に噛合される既述のラック４１とを有する。
この場合、ラックプレート５１は、デッドボルト５１の他方の面（本体ケース１０側の面）のガイド溝３４に係合可能に、幅がガイド溝３４の幅と略同じが少し小さく、長さがガイド溝３４より小さい所定の長さに形成される。ラック５１１はこのラックプレート５１の一方の側面の先端側にデッドボルト３Ａ先端部側のピニオンギヤ収容部３０２に対応して設けられる。また、このラックプレート５１の一方の側縁部（この場合、上側縁部）には基端部側に側方に向けて延長部５１２が設けられる。この延長部５１２はデッドボルト３Ａの切り欠き３０の一端の押し出し係合部３１と他端の引き入れ係合部３３との間に配置可能な大きさの略Ｌ字形に形成される。この延長部５１２は一端にデッドボルト３Ａの切り欠き３０一端の押し出し係合部３１に対応して、この押し出し係合部３１に衝接可能に係止片５１３が（延長部本体に対して直角に）立ち上げ形成され、他端にデッドボルト３Ａの切り欠き３０他端の引き入れ係合部３３に対応して、この引き入れ係合部３３に衝接可能に係止片５１４が（延長部本体に対して直角に）立ち上げ形成される。
このようにしてラックプレート５１はデッドボルト３Ａの他方の面のガイド溝３４に嵌め込まれ、先端のラック５１１がデッドボルト３Ａ先端部内部のピニオンギヤ５２に対向配置され、延長部５１２の各係止片５１３、５１４がデッドボルト３Ａの切り欠き３０内に挿入配置されて、錠ケース１の錠面１０１からデッドボルト３Ａに従動して突出又は引き込み可能にかつデッドボルト突出位置に突出された状態のデッドボルト３Ａに対してさらにデッドボルト３Ａの突出方向に又はその反対方向に所定の距離だけスライド可能に組み込まれる。そして、錠ケース１に連結されたシリンダー錠２のレバー２２がデッドボルト３Ａの一方の面の凹状に形成された部分に回動可能に配置されて、このレバー２２との関係で、ラックプレート５１の一端の係止片５１３は、ラックプレート５１がデッドボルト３Ａとともに錠ケース１内に引き込まれた状態で、シリンダー錠２の施錠操作によりレバー２２の回動始端位置から回動終端位置に向かう途中の所定の回動位置でデッドボルト３Ａとともにレバー２２に係合され、このレバー２２により回動終端位置まで押圧されて、ラックプレート５１をデッドボルト３Ａに従動させて錠ケース１の錠面１０１から外側の所定の位置まで突出させ、さらに、デッドボルト突出位置まで突出された状態のデッドボルト３Ａに対してラックプレート５１のみをデッドボルト３Ａの突出方向に所定の距離だけ送り出す送り出し係合部をなし（以下、ラックプレート５１の一端の係止片５１３を送り出し係合部５１３という。）、ラックプレート５１の他端の係止片５１４は、ラックプレート５１が錠ケース１の錠面１０１から外側の所定の位置まで突出され、さらに、所定の距離だけ送り出された状態で、シリンダー錠２の解錠操作によりレバー２２の回動終端位置から回動始端位置に向かう途中の所定の回動位置でレバー２２に係合され、ラックプレート５１のみを所定の距離だけ送り戻し、このラックプレート５１の所定の距離の送り戻しにより、デッドボルト３Ａの引き入れ係合部３３に係合されて、引き続き、ラックプレート５１を回動終端位置まで押圧し、ラックプレート５１をデッドボルト３Ａに従動させて錠ケース１内に送り入れる従動係合部をなす（以下、ラックプレート５１の他端の係止片５１４を従動係合部５１４という。）。
ピニオンギヤ５２はデッドボルト３Ａ先端部側のピニオンギヤ収容部３０２にこのピニオンギヤ収容部３０２の両側面間に通された軸により回転可能に取り付けられ、ロック爪４はデッドボルト３先端部側のロック爪収容部３０１に一方の面（蓋１１側の面）の開口から出没可能に（この場合、ロック爪４の先端部が一方の面（蓋１１側の面）の開口にから突出するときは、ロック爪４の後端部が他方の面（本体ケース１０側の面）の開口に没入し、反対に、ロック爪４の先端部が一方の面（蓋１１側の面）の開口に没入するときは、ロック爪４の後端部が他方の面（本体ケース１０側の面）の開口から突出されるように）取り付けられて、ラック４１がピニオンギヤ５２に噛合される。
このようにしてシリンダー錠２が、ラックプレート５１のラック５１１、ピニオンギヤ５２及びロック爪４のラック４１からなる動力伝達機構５Ａを介して、ロック爪４に作動連結される。
【００１７】
図４乃至図８にデッドボルト錠Ｕ１の動作を示している。なお、この場合、デッドボルト錠Ｕ１は板金扉に取り付けられ、その扉枠にはデッドボルトの受け部が形成され、この受け部に係合ピンＰが設けられているものとする。
図４は、デッドボルト３Ａが錠ケース１の錠面１０１から内側の所定のデッドボルト引き込み位置に引き込まれ、ラックプレート５１がデッドボルト３Ａとともに錠ケース１内に引き込まれた状態で、この状態から、図８（Ａ１）、（Ｂ１）、及び図８（Ａ２）、（Ｂ２）に示すように、シリンダー錠２の施錠操作によりレバー２２を回動始端位置から回動終端位置に向けて回動させると、回動始端位置から回動終端位置に向かう途中の所定の回動位置でレバー２２がデッドボルト３Ａの押し出し係合部３１とラックプレート５１の送り出し係合部５１３に係合し、図８（Ａ３），（Ｂ３）に示すように、これらの係合部３１，５１３が、まず、レバー２２により回動終端位置に達する前の所定の位置まで押圧されて、図５、図６に示すように、デッドボルト３Ａをラックプレート５１とともに錠ケース１の錠面１０１から外側の所定のデッドボルト突出位置まで突出させ、続いて、ラックプレート５１の送り出し係合部５１３がレバー２２によりさらに回動終端位置まで押圧されて、デッドボルト突出位置まで突出された状態のデッドボルト３Ａに対してラックプレート５１のみをさらにデッドボルト３Ａの突出方向に所定の距離だけ送り出す。このラックプレート５１の所定の距離の送り出しにより、図７に示すように、ラックプレート５１のラック５１１に噛合されたピニオンギヤ５２がロック爪４のラック４１に対してロック爪４の先端方向に回転し、ロック爪４をロック爪収容部３０１の一方の開口に向けて送り、ロック爪４をデッドボルト３Ａの先端から突出する。これにより、デッドボルト３Ａは鉤形（略Ｌ字形）になって、扉枠の受け部に係合し、デッドボルト３Ａの一方の側面（蓋１１側の側面）が係合ピンＰに当接し、デッドボルト３Ａのロック爪４が係合ピンＰに係止される。このロック爪４の係止により、板金扉を破壊的に強く引いて変形させ、デッドボルト３Ａに引張り方向の大きな力を作用させても、この力に抗し、デッドボルト３Ａは受け部から外れない又は外れにくくなる。
また反対に、図７に示すように、デッドボルト３Ａが錠ケース１の錠面１０１から外側の所定のデッドボルト突出位置まで突出され、ラックプレート５１がさらにデッドボルト３Ａの突出方向に所定の距離だけ送り出された状態から、シリンダー錠２の解錠操作によりレバー２２を回動終端位置から回動始端位置に向けて回動させると、図８（Ａ３），（Ｂ３）、及び図８（Ａ２），（Ｂ２）に示すように、回動終端位置から回動始端位置に向かう途中の所定の回動位置でレバー２２がラックプレート５１の従動係合部５１４に係合し、このレバー２２によりラックプレート５１のみを所定の距離だけ送り戻し、このラックプレート５１の所定の距離の送り戻しにより、ラックプレート５１のラック５１１に噛合されたピニオンギヤ５２がロック爪４のラック４１に対してロック爪４の後端部方向に回転し、ロック爪４をロック爪収容部３０１の他方の開口に向けて送り、ロック爪４をデッドボルト３Ａの先端に没入する。そして、このラックプレート５１の所定の距離の送り戻しにより、ラックプレート５１の従動係合部５１４がデッドボルト３Ａの引き入れ係合部３３に係合され、引き続き、これらの係合部５１４、３３がレバー２２により回動終端位置に達するまで押圧されて、デッドボルト３Ａは所定のデッドボルト引き込み位置まで引き込まれ、ラックプレート５１はデッドボルト３Ａに従動して錠ケース１内に送り入れられる。このとき、デッドボルト３Ａの引き入れ係合部３３、及びラックプレート５１の従動係合部５１４はシリンダー錠２のレバー３３に押圧された状態になり、また、ロック爪４の先端部がデッドボルト３内で錠ケース１の蓋１１の内面に押えられて、このデッドボルト３Ａ、ラックプレート５１の引き込み状態が保持される。
【００１８】
以上説明したように、このデッドボルト錠Ｕ１によれば、シリンダー錠２の施錠操作により、デッドボルト３を受け部に係合させ、この受け部に係合されたデッドボルト３からロック爪４を突出し、デッドボルト３Ａを鉤形にして、受け部に係合させるようにしたので、ロック爪４を、受け部の任意の位置で係合ピンなどの係合部材などに扉の引張方向に抗する方向に係止させることで、このデッドボルト錠Ｕ１を板金扉に取り付けて使用した場合に、板金扉が破壊的に強く引かれて変形されても、デッドボルト３Ａを受け部から外れないようにして又は外れにくくして、扉が開くのを防止することができる。また、このデッドボルト錠Ｕ１は、シリンダー錠２の解錠操作により、ロック爪４をデッドボルト３に没入して、デッドボルト３Ａを受け部から離脱させるので、デッドホルト３をロック爪４が受け部に干渉することなく、受け部から円滑に離脱させることができる。
【００１９】
図９、図１０及び図１１に第２の実施の形態を示している。なお、図１２、図１３にその要部を意匠的に示している。
図９に示すように、このデッドボルト錠Ｕ２もまた、基本的に、扉に取り付けられる錠ケース１と、錠ケース１に装着されるシリンダー錠２と、錠ケース１内に配置されてシリンダー錠２に作動連結されるデッドボルト３Ｂとを備え、シリンダー錠２をキーにより施錠方向に操作することにより、シリンダー錠２に連動してデッドボルト３Ｂが錠ケース１の錠面１０１から外側に突出して扉枠側の受け部に係合され、シリンダー錠２をキーにより解錠方向に操作することにより、デッドボルト３Ｂが錠ケース１の錠面１０１から内側に引き込まれて、扉枠側の受け部から離脱される形式を取り、そして、デッドボルト３Ｂにこのデッドボルト３Ｂの可動方向に対して略直角方向に向けて出没可能に配設されるロック爪４と、ロック爪４とシリンダー錠２との間に作動連結され、シリンダー錠２に連動してロック爪４を可動する動力伝達機構５Ｂとを備え、シリンダー錠２の施錠操作により、デッドボルト３Ｂを受け部に係合させ、この受け部に係合されたデッドボルト３Ｂからロック爪４を突出し、デッドボルト３Ｂを鉤形にして、受け部に係合させ、また、シリンダー錠２の解錠操作により、ロック爪４をデッドボルト３Ｂに没入して、デッドボルト３Ｂを受け部から離脱させるようになっている。
以下、各部について詳しく説明する。なお、以下の説明では、第１の実施の形態と異なる部材についてのみ、新たな符号を付して詳しく説明し、第１の実施の形態と共通の部材については、第１の実施の形態と同じ符号を付して、その重複した説明を省略する。
【００２０】
図９に示すように、錠ケース１、シリンダー錠２は、概ね第１の実施の形態と同様である。なお、この場合、図１０、図１１に示すように、錠ケース１の本体ケース１０の背面の所定の位置（ここでは、一方の側部側で錠面１０１寄り）に、デッドボルト３Ｂの突出及び引き込み方向に向けて所定の長さにガイドピン３８のためのガイド溝１０４が設けられる。
【００２１】
図９に示すように、デッドボルト３Ｂは、第１の実施の形態と同様に、略長方形（この場合、横方向に長い長方形）のプレートからなり、短手方向の一方の端部（この場合、左端部）が先端部、その反対（この場合、右端部）が基端部で、先端部側の一定の範囲が基端部側の幅よりも少し小さく形成されて、その境界部分に段差部３０３が設けられ、先端部内部には、ピニオンギヤ収容部３０２、ロック爪収容部３０１が貫通形成されて、それぞれに、ピニオンギヤ５２、ロック爪４が取り付けられる。
このデッドボルト３Ｂは一方の面（錠ケース１に組み立て時、蓋１１側になる面）の一部が凹凸状に形成される。この場合、デッドボルト３Ｂの一方の側縁部（この場合、上側縁部）で長手方向中間よりも少し基端部側の所定の位置を第１の起点ｐ１として他方の側縁部（この場合、下側縁部）方向に他方の側縁部に対して直角に少し延びる第１のラインＬ１と、第１のラインＬ１に連続し、第１のラインＬ１に対して先端部方向に直角に延びる第２のラインＬ２と、第２のラインＬ２に連続し、第２のラインＬ２に対して他方の側縁部方向に直角に他方の側縁部まで延びる第３のラインＬ３と、一方の側縁部（この場合、上側縁部）で第１の起点ｐ１よりも基端部側の所定の位置を第２の起点ｐ２として他方の側縁部まで他方の側縁部に対して略直角に延びる第４のラインＬ４とで囲まれた範囲が凹状に、その他の部分が凸状に形成され、また、凹状の範囲には、第２の起点ｐ２から第４のラインＬ４に沿って第４のラインＬ４の略中央の位置までを長辺とし、第２の起点ｐ２と、第１，第２の起点ｐ１，ｐ２間の所定の位置との間を短辺として略長方形の切り欠き３５が形成される。このようにしてデッドボルト３Ｂは、一方の側縁部に沿って細長い略長方形の凸段部３６１が切り欠き３５に向けて形成され、切り欠き３５と基端部との間に基端部に沿って細長い略長方形の凸段部３６２が形成される。
また、このデッドボルト３Ｂの他方の面（錠ケース１に組み立て時、本体ケース１０側になる面）にはその幅方向中央に先端部のロック爪収容部３０１から基端部方向に所定の範囲（概ね切り欠き３５のデッドボルト基端部側の縁部当たり）までラックプレート５３のためのガイド溝３７が形成される。
さらに、この他方の面には、図１０、図１１に示すように、一方の側部側で先端部寄りの所定の位置にガイドピン３８がばね部材３９を介して弾性的に突設され、錠ケース１の本体ケース１０のガイド溝１０４に係合可能になっている。この場合、デッドボルト３Ｂが錠ケース１内の所定の引き込み位置に引き込まれている状態で、ガイドピン３８はガイド溝１０４のデッドボルト基端部側の端部に係合され、デッドボルト３Ｂが錠ケース１の外部のデッドボルト突出位置に達する前の所定の位置にある状態で、ガイドピン３８はガイド溝１０４のデッドボルト先端部側の端部に係合され、デッドボルト３Ｂが錠ケース１の外部のデッドボルト突出位置に達すると、ガイドピン３８はガイド溝１０４のデッドボルト先端部側の端部から本体ケース１０の内面に乗り上げられる。
デッドボルト３Ｂはこのように形成され、先端部から段差部３０３までの先端部側の一定の範囲が錠ケース１の錠面１０１から突出又は引き込まれる部分となり、この部分を錠ケース１の錠面１０１の出没口１００に向け、凹凸状の一方の面を蓋１１側に、ガイド溝３７を有する他方の面を本体ケース１０側にして、錠ケース１内に２つのねじ座１０３間に支持（挟持）されて配置され、このねじ座１０３及び錠面１０１の出没口１００をガイドにして、錠ケース１の錠面１０１から突出又は引き込み可能に組み込まれる。そして、この錠ケース１に連結されたシリンダー錠２のレバー２２がデッドボルト３Ｂの一方の面の凹状に形成された部分に回動可能に配置されてデッドボルト３Ｂに作動連結されて、シリンダー錠２との関係で、デッドボルト３Ｂの一方の側縁部に沿って細長い略長方形の凸段部３６１は、デッドボルト３Ｂが錠ケース１の錠面１０１から内側の所定のデッドボルト引き込み位置に引き込まれた状態で、シリンダー錠２の施錠操作によりレバー２２の回動始端位置から回動終端位置に向かう途中の所定の回動位置でレバー２２に係合され、このレバー２２により回動終端位置まで押圧されて、デッドボルト３Ｂを錠ケース１の錠面１０１から外側の所定のデッドボルト突出位置まで突出させる押し出し係合部をなし（以下、凸段部３６１を押し出し係合部３６１という。）、デッドボルト３Ｂの基端部に沿って細長い略長方形の凸段部３６２は、デッドボルト３Ｂがデッドボルト突出位置に突出された状態で、シリンダー錠２の解錠操作によりレバー２２の回動終端位置から回動始端位置に向かう途中の所定の回動位置でレバー２２に係合され、このレバー２２により回動終端位置に達するまで押圧されて、デッドボルト３Ｂをデッドボルト引き込み位置まで引き込む引き入れ係合部をなす（以下、凸段部３６２を引き入れ係合部３６２という。）。
【００２２】
ロック爪４は、第１の実施の形態と同様である。
【００２３】
動力伝達機構５Ｂは、錠ケース１内に、デッドボルト３Ｂの下面に並列に配置され、錠ケース１の錠面１０１からデッドボルト３Ｂに従動して突出又は引き込み可能にかつデッドボルト突出位置に突出された状態のデッドボルト３Ｂに対してデッドボルト３Ｂの突出方向に又はその反対方向に所定の距離だけスライド可能に組み込まれて、デッドボルト３Ｂに対向する面にラック５３１（図１０、図１１参照）を有するラックプレート５３と、ラックプレート５３に設けられて、デッドボルト３Ｂの引き入れ係合部３６２とシリンダー錠２のレバー２２との間に配置され、引き入れ係合部３６２又はレバー２２との係合により、ラックプレート５３をデッドボルト３Ｂに従動させる従動係合部５３４と、デッドボルト３Ｂの引き入れ係合部３６２とラックプレート５３の従動係合部５３４との間に介装され、従動係合部５３４をレバー２２側に向けて押圧付勢し、デッドボルト突出位置に突出された状態のデッドボルト５３に対してラックプレート５３をデッドボルト３Ｂの突出方向に所定の距離だけスライドさせるばね部材５３５と、デッドボルト３Ｂの先端部側の内部にロック爪４に近接して回転可能に軸支され、ラックプレート５３のラック５３１に噛合されるピニオンギヤ５２と、ロック爪４の一部に設けられ、ピニオンギヤ５２に噛合されるラック４１とを有する。
この場合、ラックプレート５３は、デッドボルト３Ｂの他方の面（本体ケース１０側の面）のガイド溝３７に係合可能に、幅がガイド溝３７の幅と略同じが少し小さく、長さがガイド溝３７より小さい所定の長さに形成される。ラック５３１はこのラックプレート５３の一方の側面の先端部側にデッドボルト３Ｂの先端部のピニオンギヤ収容部３０２に対応して設けられる。また、このラックプレート５３の一方の側縁部（この場合、上側縁部）には基端部側に側方に向けて延長部５３２が設けられる。この延長部５３２はデッドボルト３Ｂの切り欠き３５と略同じ大きさ及び形状に形成され、ラックプレート５３全体が略Ｌ字形になっている。この延長部５３２には、デッドボルト３Ｂの切り欠き３５を通してデッドボルト３Ｂの引き入れ係合部３６２又はシリンダー錠２のレバー２２に係合可能に、従動係合部５３４が（延長部５３２本体に対して直角に）立ち上げ形成される。このラックプレート５３は、デッドボルト３Ｂの他方の面のガイド溝３７に嵌め込まれ、先端部のラック５３１がデッドボルト３Ｂ先端部内部のピニオンギヤ５２に対向配置され、延長部５３２の従動係合部５３４がデッドボルト３Ｂの切り欠き３５内に挿入配置されて、ラックプレート５３の従動係合部５３４とデッドボルト３Ｂの引き入れ係合部３６２又はシリンダー錠２のレバー２２との係合により、ラックプレート５３が錠ケース１の錠面１０１からデッドボルト３Ｂに従動して突出又は引き込み可能にかつデッドボルト突出位置に突出された状態のデッドボルト３Ｂに対してデッドボルト３Ｂの突出方向に又はその反対方向に所定の距離だけスライド可能に組み込まれ、デッドボルト３Ｂの引き入れ係合部３６２とラックプレート５３の従動係合部５３４との間にラックプレート５３をレバー２２に向けて押圧可能にばね部材５３５としてコイルスプリングが介装される。このようにして錠ケース１に連結されたシリンダー錠２のレバー２２がデッドボルト３Ｂの一方の面の凹状に形成された部分内で、デッドボルト３Ｂの押し出し係合部３６１に係合可能に、また、ラックプレート５３の従動係合部５３４にデッドホルト３Ｂの引き入れ係合部３６２とともに係合可能になっている。
ピニオンギヤ５２はデッドボルト３Ｂ先端部側のピニオンギヤ収容部３０２にこのピニオンギヤ収容部３０２の両側面間に通された軸により回転可能に取り付けられ、ロック爪４はデッドボルト３Ｂ先端部側のロック爪収容部３０１に一方の面（蓋１１側の面）の開口から出没可能に取り付けられて、ラック４１がピニオンギヤ５２に噛合される。
このようにしてシリンダー錠２が、ラックプレート５３のラック５３１、ピニオンギヤ５２及びロック爪４のラック４１からなる動力伝達機構５Ｂを介して、ロック爪４に作動連結される。
【００２４】
図１０、図１１にデッドボルト錠Ｕ２の動作を示している。なお、この場合、デッドボルト錠Ｕ２は板金扉に取り付けられ、その扉枠にはデッドボルト３Ｂの受け部が形成され、この受け部に係合ピンＰが設けられているものとする。
図１１（Ａ３）、（Ｂ３）は、デッドボルト３Ｂが錠ケース１の錠面１０１から内側の所定のデッドボルト引き込み位置に引き込まれ、ラックプレート５３がデッドボルト３Ｂとともに錠ケース１内に引き込まれた状態で、この状態では、デッドボルト３Ｂのガイドピン３８が錠ケース１のガイド溝１０４の基端部側の端部に係合される。
この状態から、図１０（Ａ１）、（Ｂ１）に示すように、シリンダー錠２の施錠操作によりレバー２２を回動始端位置から回動終端位置に向けて回動させると、回動始端位置から回動終端位置に向かう途中の所定の回動位置でレバー２２がデッドボルト３Ｂの押し出し係合部３６１に係合し、図１０（Ａ２）、（Ｂ２）及び図１０（Ａ３）、（Ｂ３）に示すように、この係合部３６１がレバー２２により回動終端位置に向けて押圧され、デッドボルト３Ｂは錠ケース１の錠面１０１から外側の所定のデッドボルト突出位置に突出され、ラックプレート５３は従動係合部５３４とデッドボルト３Ｂの引き入れ係合部３６２との係合によりデッドボルト３Ｂに従動して錠面１０１の外側に突出される。この間、デッドボルト３Ｂのガイドピン３８は錠ケース１のガイド溝１０４を先端部側の端部へ移動し、先端部側の端部から本体ケース１０の内面に乗り上げられる。そして、デッドボルト３Ｂの押し出し係合部３６１がレバー２２により回動終端位置まで押圧されると、ラックプレート５３の従動係合部５３４がばね部材５３５の付勢力により、レバー２２に向けて押圧され、デッドボルト突出位置に突出された状態のデッドボルト３Ｂに対してラックプレート５３のみがデッドボルト３Ｂの突出方向に所定の距離だけスライドする。このラックプレート５３の所定の距離の送り出しにより、ラックプレート５３のラック５３１に噛合されたピニオンギヤ５２がロック爪４のラック４１に対してロック爪４の先端部方向に回転し、ロック爪４をロック爪収容部３０１の一方の開口に向けて送り、ロック爪４をデッドボルト３Ｂの先端から突出する。これにより、デッドボルト３Ｂは鉤形（略Ｌ字形）になって、扉枠の受け部に係合し、デッドボルト３Ｂの一方の側面（蓋１１側の側面）が係合ピンＰに当接し、デッドボルト３Ｂのロック爪４が係合ピンＰに係止される。このロック爪４の係合ピンＰに対する係止により、板金扉を破壊的に強く引いて変形させ、デッドボルト３Ｂに引張り方向の大きな力を作用させても、この力に抗し、デッドボルト３Ｂは受け部から外れない又は外れにくくなる。
また反対に、図１１（Ａ１）、（Ｂ１）は、デッドボルト３Ｂが錠ケース１の錠面１０１から外側の所定のデッドボルト突出位置まで突出され、ラックプレート５３がデッドボルト３Ｂの突出方向に所定の距離だけ送り出された状態で、この状態では、デッドボルト３Ｂのガイドピン３８は錠ケース１のガイド溝１０４の先端部側の端部から本体ケース１０の内面に乗り上げられている。この状態から、シリンダー錠２の解錠操作により、ばね部材５３５の付勢力に抗して、レバー２２を回動終端位置から回動始端位置に向けて回動させると、図１１（Ａ２）、（Ｂ２）に示すように、レバー２２がラックプレート５３の従動係合部５３４に係合し、このレバー２２によりラックプレート５３のみを所定の距離だけ送り戻し、このラックプレート５３の所定の距離の送り戻しにより、ラックプレート５３のラック５３１に噛合されたピニオンギヤ５２がロック爪４のラック４１に対してロック爪４の後端部方向に回転し、ロック爪４をロック爪収容部３０１の他方の開口に向けて送り、ロック爪４をデッドボルト３Ｂの先端に没入する。また、このラックプレート５３を所定の距離だけ送り戻すと、ラックプレート５３の従動係合部５３４がデッドボルト３Ｂの引き入れ係合部３６２に衝接してレバー２２とデッドボルト３Ｂの引き入れ係合部３６２が係合し、引き続き、このレバー２２によりラッチプレート５３の従動係合部５３４とともにデッドボルト３Ｂの引き入れ係合部３６２が回動終端位置に達するまで押圧されて、デッドボルト３Ｂは所定のデッドボルト引き込み位置まで引き込まれ、ラックプレート５３はデッドボルト３Ｂに従動して錠ケース１内に送り入れられる。この間、デッドボルト３Ｂのガイドピン３８は錠ケース１のガイド溝１０４を移動し、ガイド溝１０４の基端部側の端部に係合される。このようにしてデッドボルト３Ｂの引き入れ係合部３６２はシリンダー錠２のレバー２２に押圧された状態となり、ロック爪４の先端部がデッドボルト３Ｂ内で錠ケース１の蓋１１の内面に押えられるので、このデッドボルト３Ｂ、ラックプレート５３の引き込み状態が保持される。
【００２５】
このようにしても第１の実施例と同様の効果を奏することができる。
【００２６】
なお、第１、第２の各実施の形態では、動力伝達機構５Ａ、５Ｂをラックとピニオンを用いて構成したが、複数の歯車の組み合わせからなる動力伝達機構を採用してもよい。
【符号の説明】
【００２７】
Ｕ１、Ｕ２  デッドボルト錠
１  錠ケース
１０  本体ケース
１００  出没口
１０１  錠面
１０２  ねじ挿通部
１０３  ねじ座
１０４  ガイド溝
１１  蓋
１１３  ねじ挿通部
１１４  ねじ
２  シリンダー錠
２０  鍵孔
２１  ローター
２２  レバー（回転カム）
３Ａ、３Ｂ  デッドボルト
３０１  ロック爪収容部
３０２  ピニオンギヤ収容部
３０３  段差部
３０  切り欠き
３１  凸形形状部（押し出し係合部）
３２  縁部
３３  縁部（引き入れ係合部）
３４  ガイド溝
３５  切り欠き
３６１  凸段部（押し出し係合部）
３６２  凸段部（引き入れ係合部）
３７  ガイド溝
３８  ガイドピン
３９  ばね部材
４  ロック爪
４１  ラック
５Ａ、５Ｂ  動力伝達機構
５１  ラックプレート
５１１  ラック
５１２  延長部
５１３  係止片（送り出し係合部）
５１４  係止片（従動係合部）
５２  ピニオンギヤ
５３  ラックプレート
５３１  ラック
５３２  延長部
５３４  従動係合部
５３５  ばね部材
Ｐ  係合ピン
【図１】
0006043306.tif 000002
【図２】
0006043306.tif 000003
【図３】
0006043306.tif 000004
【図４】
0006043306.tif 000005
【図５】
0006043306.tif 000006
【図６】
0006043306.tif 000007
【図７】
0006043306.tif 000008
【図８】
0006043306.tif 000009
【図９】
0006043306.tif 000010
【図１０】
0006043306.tif 000011
【図１１】
0006043306.tif 000012
【図１２】
0006043306.tif 000013
【図１３】
0006043306.tif 000014